(57)【要約】      （修正有）【課題】木目や木の形がはっきりと見え、木目や温かみや自然なイメージという木の特徴を活かしつつ、ガラスという素材とのコントラストも効いて、美しく、魅力的な家具構造を提供する。【解決手段】接着乾燥後も弾性を保持する弾性接着剤である透光性接着剤３で、年輪をもつ木材脚２の上端面を、透光性ガラストップ１の下面に直接接着するよう設けられている。接着面は、木口面に限らず、強度が保てるのであれば板目面または柾目面でもよい。【選択図】図１
2019126685.tif 000002
【特許請求の範囲】
【請求項１】
透光性ガラスの下面に透光性接着剤で接着された木材脚の、上端面が視認可能な構造。
【請求項２】
透光性ガラストップの下面に、年輪を持つ木材脚の上端面が透光性接着剤で接着された、請求項１に記載の構造を持つガラストップ家具。
【請求項３】
脚が三又以上に分かれたの木の枝であり、分かれたの木の枝の木口が透光性ガラストップに透光性接着剤で接着されている、請求項１に記載の構造を持つガラストップ家具。
【発明の詳細な説明】
【技術分野】
【０００１】
本考案は、透光性ガラストップの家具に関し、特に脚物家具に関するものである。
【背景技術】
【０００２】
従来、ガラスのように湿度の変化で形が変化しないものと、木材のように湿度の変化で膨張や収縮、割れなどの変化をきたすものとを接着することはあまりなかった。
なお、透光性ガラストップの下面に金属製部品を接着し、脚を取り付けているテーブルは従来からみられた。
特許文献１には、ガラス製天板の四隅部下面に固着した凸状または凹状の被支持部を持つテーブルが開示されている。
【先行技術文献】
【特許文献】
【０００３】
【特許文献１】特許4740714号公報
【発明の概要】
【発明が解決しようとする課題】
【０００４】
透光性ガラスの特徴は、ガラスの向こうが透けて見えることであるが、透光性ガラストップの家具の、ガラスの下面に金属製部品を接着したものは、ハードで冷たい感じがし、木目も木肌もなく、温かみや自然の柔らかなイメージが出せない。
透光性ガラストップの木製家具でも、木材脚とガラスの間に緩衝材や滑り止めゴム材を挟んだものは、木材脚の上端面が見えず、木の特徴である木目や木肌の温かみや、自然の柔らかなイメージのを十分活かしていなかった。
また、木材脚の上に直接透光性ガラストップを置いたものもあるが、ガラストップの下面で光が反射し、木材脚の上端面は見えにくかった。
本考案は、透光性ガラスを透して、木目や木肌や木の形がはっきり見えるようにすることで、木の特徴である、温かみや自然の柔らかなイメージを活かし、木を使った家具の良さをさらに高めることを目的とする。
【課題を解決するための手段】
【０００５】
透光性ガラスの下面に、透光性接着剤を用い木材脚の上端面を直接接着する。これにより木材脚の上端面は、透光性ガラスと透光性接着剤を透して視認可能となる。
透光性ガラスは、無色透明、スモーク、色付あるいは、乳白色のものも含め光を透過し、ガラス越しに向こうを見ることができるシースルーガラスのことを言い、ケイ酸ガラス、ソーダ石灰ガラス、ホウケイ酸ガラス、石英ガラスなどの鉱物ガラスの他アクリル樹脂などの有機ガラス、金属ガラスなども含む。
ガラストップとは、ガラスでできたテーブルや机の天板や椅子の座面のことを言う。ガラストップ家具とは、ガラストップとなっている家具である。
木材は、十分乾燥させ、湿度の変化で膨張や収縮が起きにくいもの、割れや欠けの無いものを使うとよい。
【０００６】
接着は、脚としての強度面から接着面を木口面とするのが良いが、強度が保てるのであれば木口に限らず板目面または柾目面でもよい。なお木口面とは、木の幹の縦の軸に垂直な方向の断面をいう。板目面と柾目柾面は木の幹の縦の軸に平行な方向の断面をいう。
透光性接着剤は接着乾燥後も弾性を保持する弾性接着剤とする。また、液状の接着剤であってもよいが、シート状の接着剤であってもよい。弾性接着剤とは、硬化後もゴム状弾性を示し、被着体からの内部圧力を分散する性質があるものをいう。シリコーンや変成シリコーンポリマーをベースとしたものなどがあり振動・衝撃の外部応力を吸収する機能もある。
【０００７】
請求項２の本発明は、年輪を持つ木材脚上端面を透光性接着剤で接着したガラストップ家具で、接着する木材脚の上端面の接着面が丸太をベースにしたものであれば、上端面の木口面に同心円状の年輪が現われる。なお、樹種によっては年輪が明確にあらわれないものもある。
広葉樹の丸太は比較的割れが生じにくいので、丸太をそのまま使うことが多い。針葉樹は、比較的割れが生じやすいので丸太の背割りや割れ部に別の木を挿入接着する、あるいは丸太の中心部をくり抜き別の木を挿入することにより丸太を製造することもある。
また、丸太を良く乾かした上で丸太を２分割、あるいは４分割以上の扇形に分割し、切断面を平滑に加工してから接着し集成材とし、同心円状の年輪を持つ木材脚としてもよい。
また、四角い集成材を丸く削ることでも、丸い形の木口材を作ることができ、木口面に年輪が現われる。ただし同心円状になるとは限らない。
【０００８】
請求項３の本願発明は、脚に枝先が三又以上に分かれたの木の枝を使うもので、分かれたの木の枝の木口面がガラストップの下面に接着されているガラストップ家具である。
【発明の効果】
【０００９】
ガラス下面と木材脚の上端面を透光性接着剤で接着することにより、ガラスと透光性接着剤が光学的に一体となり、木口との間に光学的な反射面ができず、ガラス上面に脚上端の木口面の木目が浮いたように見える。
また、ガラストップの上面から、透光性ガラスと透光性接着剤を通して、木目や木の形がはっきりと見えるので、木目や温かみや自然なイメージという気の特徴を活かしつつ、ガラスという素材とのコントラストも効いて、美しく、魅力的な家具構造となる。
なお、透光性着剤を使わず、脚の上に透光性ガラスをただ置いておくだけでは、ガラスと木の間に空気が入り、ガラス面の光の反射により、年輪や木肌が良く見えない。
【００１０】
請求項２の本願発明は、木材脚の上端面の年輪の木目がきれに見え、温かみや自然を感じさせる。特に同心円状の年輪を持つ丸い形の木口材は、立木を想起させ、今までの家具とは違ったイメージの家具となる。
【００１１】
請求項３の三又以上分かれたの木の枝を使った本願発明は、ガラス面に各脚が３点以上で固定されるため、１本の木より小さな面積の接着面でも脚としての強度が保て安定感を出せる。
また、三又枝は製材されていないので、木口は年輪の有る丸い自然な形となっており、テーブルや机であれば樹木の上に天板があるように感じる。また、椅子であれば、あたかも木の上に腰かけているイメージで、座っていても気持ちがよい。
【図面の簡単な説明】
【００１２】
【図１】ガラストップテーブルの平面図
【図２】ガラストップテーブルの正面図
【図３】加工した脚の上端面の例を示す図
【図４】加工した脚の上端面の例を示す図
【図５】加工した脚の上端面の例を示す図
【図６】内部を繰り抜いた脚の断面図
【図７】三又の木を使ったガラストップテーブルの斜視図
【発明を実施するための形態】
【００１３】
図１、図２に実施の形態１を示す。四角い透光性ガラストップ１に、丸太の脚２が４本、弾性のある透光性接着剤３にて接着されている。
木材脚２は、十分乾かし、割れや欠けのない木材を使うが、湿度の変化による膨張や収縮をできるだけ抑えるために、防湿加工や、防湿性のある塗装などをしてあるとなおよい。
弾性のある透光性接着剤３の硬化時の厚さを０.５ｍｍ以上１ｍｍ以下とすると、木材脚の湿度の変化による膨張や収縮に対応し易くなる。１ｍｍ以上になると、強度面で劣ってくるのと、硬化に時間を要するので好ましくない。
【００１４】
木材脚２の床面に近い位置で、横方向に力を加えると、脚の接着面には相当の力がかかるので、接着面積は、脚の長さの１/１０の寸法を２乗した、すなわち（脚の長さの１/１０）×（脚の長さの１/１０）の面積の２倍以上とするとよい。
その式は  （脚長/１０）×（脚長/１０）×２≦接着面積    となる。
例えば、脚の長さが３０ｃｍであれば３ｃｍ×３ｃｍ×２＝１８平方ｃｍ以上、長さが４０ｃｍであれば、4ｃｍ×４ｃｍ×２＝３２平方ｃｍ以上になる。
【００１５】
木材脚２は、接着面から床面（家具の置かれる所）まで一体（一本）とすると、強度と美しさの観点からみるとよいが、脚を取り外すことができないので、輸送や保管に場所をとる。
そこで、図２の破線で示す木材脚接着下部２-１で、脚を切り、金属ネジなどで取付け取外しができるようにしてもよい。このとき、ガラスと接着されている木材脚２-２の長さは、直径または横幅の１/２とすることで金属ネジを埋め込む寸法を確保できる。
【００１６】
図３、図４、図５に加工した木材脚の実施の形態の上端面を示す。
図３のＡは、丸太の背割りに別の木の背割埋込材４を挿入接着したもので、湿度による木材脚の変化を小さく抑えることができる。
図３のＢは、丸太の中心部をくり抜き別の木の挿入材５をくり抜き丸太６に挿入し接着したもの。杉材など針葉樹の丸太は割れやすいためＡやＢの加工をし、割れや欠けを起きにくくしている。
図３のＣは、広葉樹の丸太を示す、比較的割れが生じにくいので、丸太のままで使えることが多い。
また、木材脚の上端面に、薬液や樹脂を含侵させ、平滑にすることで接着強度を上げることができる。
【００１７】
図４は丸太を良く乾かした上で、Ｄは丸太を２分割、Ｅは扇形に４分割、Ｆは扇形に６分割し、分割切断面を平滑に加工してから接着したものである。丸太を乾燥後接着した集成材で同心円状の年輪木目を残しながら割れが生じにくい。
脚全体に薬液や樹脂を含侵させたり、加圧注入すると、強度が増し、湿度による膨張収縮も少なくなり、接着剥がれや脚が取れる可能性も少なくなる。
【００１８】
図５のＧは角材の集成材ではあるが外観の丸太形状を残すようにしたもの。図５のＨ、Ｉは集成角材である。
加圧圧縮し、熱処理により形状を固定化し、接着端面を平滑にすれば、ガラストップとの接着強度も増す。また、湿度による膨張収縮も少なくなり、接着剥がれや脚が取れる可能性も少なくなる。
【００１９】
図６に、実施の形態１の脚２の断面図を示す。木材脚のくり抜き空洞２-３は、テーブル全体を軽くするためと、脚を傾けようとするときの応力負荷を少なくするためである。
【００２０】
図７に、実施の形態２を示す。脚には三又枝を、木が生えていたように枝がわかれている方を上にし、その木口面をガラス面に接着する。これにより、接着位置の範囲が広がり、横方向の応力に対して強い。
三又の木口の合計接着面積は、概ね三又枝の接着木口の中心の点を３点とする三角形の内接円の直径を、「脚の長さの１/１０」で割った数で、「１本の木の脚である場合の接着面積」を割った面積でよい。
その式は  （（脚長/１０）×（脚長/１０）×２）÷（内接円直径÷（脚長/１０））≦接着面積    となる。
例えば、脚の長さが３０ｃｍで、三又枝の内接円直径が1２ｃｍであれば、（３ｃｍ×３ｃｍ×２）÷1２/３ｃｍ＝４.５平方ｃｍになる。
【００２１】
本願発明は、テーブルや机、棚、椅子等の他、オーディオ機器などの置台や飾り壁面、浮かし床などの家具としても使える。
【符号の説明】
【００２２】
１    透光性ガラストップ
２    木材脚
２-１    木材脚接着下部
２-２    木材脚
２-３    木材脚のくり抜き空洞
２２    三又木材の脚
３    透光性接着剤
４    背割埋込材
５    挿入材
６    くり抜き丸太
【図１】
2019126685.tif 000003
【図２】
2019126685.tif 000004
【図３】
2019126685.tif 000005
【図４】
2019126685.tif 000006
【図５】
2019126685.tif 000007
【図６】
2019126685.tif 000008
【図７】
2019126685.tif 000009